(57)【要約】【課題】間座の脱落を防止した円錐ころ軸受を提供する。【解決手段】円錐ころ軸受は、外輪と、内輪２３と、複数の円錐ころ２４ａ、２４ｂと、隣接する円錐ころ２４ａ、２４ｂの間に配置される複数の間座１１ａ、１１ｂを含み、この複数の間座１１ａ、１１ｂが互いに分離して設けられている間座型保持器とを備える。間座１１ａには、円錐ころ２４ａ、２４ｂの内径側への脱落を防止する内径側ころ止め部１６が設けられている。ここで、ころピッチ円直径を含む平面に交差する内径側ころ止め部１６の周方向の長さＬ２は、円錐ころ２４ａ、２４ｂと間座とを周方向に順次連ねて交互にすき間なく配置した場合に、最初に配置される円錐ころ２４ａと最後に配置される円錐ころ２４ｂとのころピッチ円直径における最後すき間２７の周方向の長さＬ１よりも長い。【選択図】図１
2007244154.tif 000002
【特許請求の範囲】
【請求項１】
外輪と、
内輪と、
前記外輪および前記内輪の間で周方向に連ねて配置される複数の円錐ころと、
隣接する前記円錐ころの間に配置され、ころピッチ円直径において隣接する前記円錐ころに当接する面の間隔が前記円錐ころの小径側端面から大径側端面に向かって徐々に大きくなっている複数の間座を含み、この複数の間座が互いに分離して設けられている間座型保持器とを備える円錐ころ軸受であって、
前記間座には、前記円錐ころの内径側への脱落を防止する内径側ころ止め部が設けられており、
ころピッチ円直径を含む平面に交差する前記内径側ころ止め部の周方向の長さは、前記円錐ころと前記間座とを周方向に順次連ねて交互にすき間なく配置した場合に、最初に配置される円錐ころと最後に配置される円錐ころとのころピッチ円直径におけるすき間の周方向の長さよりも長い、円錐ころ軸受。
【請求項２】
前記間座には、前記円錐ころの外径側への脱落を防止する外径側ころ止め部が設けられており、
ころピッチ円直径を含む平面と交差する前記外径側ころ止め部の周方向の長さは、ころピッチ円直径を含む平面と交差する前記内径側ころ止め部の周方向の長さよりも長い、請求項１に記載の円錐ころ軸受。
【請求項３】
円周方向に配置されたすべての間座に当接するように円環状に延び、前記内輪と前記間座との当接状態を維持するリング状部材を備える、請求項１または２に記載の円錐ころ軸受。
【請求項４】
隣接する円錐ころの間に配置されたときに、ころピッチ円直径において隣接する前記円錐ころに当接する面の間隔が前記円錐ころの小径側端面から大径側端面に向かって徐々に大きくなっており、前記円錐ころの内径側への脱落を防止する内径側ころ止め部が設けられている間座であって、
ころピッチ円直径を含む平面に交差する前記内径側ころ止め部の周方向の長さは、前記円錐ころと前記間座とを周方向に順次連ねて交互にすき間なく配置した場合に、最初に配置される円錐ころと最後に配置される円錐ころとのころピッチ円直径におけるすき間の周方向の長さよりも長い、間座。
【請求項５】
複数の円錐ころと、隣接する前記円錐ころの間に配置される複数の間座とを内輪上に交互に配置する際に使用されるものであって、
円周方向に配置されたすべての間座に当接するように円環状に延び、前記内輪の軌道面と前記間座との当接状態を維持する、リング状部材。
【請求項６】
外輪と、内輪と、前記外輪および前記内輪の間に配置される複数の円錐ころと、隣接する前記円錐ころの間に配置され、ころピッチ円直径において隣接する前記円錐ころに当接する面の間隔が前記円錐ころの小径側端面から大径側端面に向かって徐々に大きくなっている複数の間座を含み、この複数の間座が互いに分離して設けられている間座型保持器と、円周方向に配置されたすべての間座に当接するように円環状に延びるリング状部材とを備える円錐ころ軸受を組立てる円錐ころ軸受の組立て方法であって、
前記内輪上に複数の前記円錐ころおよび複数の前記間座を周方向に連ねて交互に配置する場合に、前記リング状部材によって、前記内輪と前記間座との当接状態を維持する、円錐ころ軸受の組立て方法。
【請求項７】
風力を受けるブレードと、
その一端が前記ブレードに固定され、ブレードとともに回転する主軸と、
固定部材に組み込まれ、前記主軸を回転自在に支持する円錐ころ軸受とを有する風力発電機の主軸支持構造であって、
前記円錐ころ軸受は、外輪と、内輪と、前記外輪および前記内輪の間で周方向に連ねて配置される複数の円錐ころと、隣接する前記円錐ころの間に配置され、ころピッチ円直径において隣接する前記円錐ころに当接する面の間隔が前記円錐ころの小径側端面から大径側端面に向かって徐々に大きくなっている複数の間座を含み、この複数の間座が互いに分離して設けられている間座型保持器とを備え、
前記間座には、前記円錐ころの内径側への脱落を防止する内径側ころ止め部が設けられており、
ころピッチ円直径を含む平面に交差する前記内径側ころ止め部の周方向の長さは、前記円錐ころと前記間座とを周方向に順次連ねて交互にすき間なく配置した場合に、最初に配置される円錐ころと最後に配置される円錐ころとのころピッチ円直径におけるすき間の周方向の長さよりも長い、風力発電機の主軸支持構造。
【発明の詳細な説明】
【技術分野】
【０００１】
この発明は、円錐ころ軸受、間座、リング状部材、円錐ころ軸受の組立て方法および風力発電機の主軸支持構造に関し、特に、大型の円錐ころ軸受、これに含まれる間座、リング状部材、その組立て方法および大型の風力発電機の主軸支持構造に関するものである。
【背景技術】
【０００２】
ころ軸受は、一般的には、外輪と、内輪と、外輪および内輪の間に配置される複数のころと、複数のころを保持する保持器とから構成される。ころを保持する保持器については、その材質や製造方法等により、プレス保持器、削り保持器、溶接保持器、ピン型保持器等、様々な種類があり、それぞれ用途や特性に応じて使い分けられている。また、保持器は通常、一体型、すなわち、環状の一つの部品で構成されている。
【０００３】
風を受けるためのブレードが取り付けられた風力発電機の主軸を支持するころ軸受については、大きな荷重を受ける必要があるため、ころ軸受自体も大型となる。そうすると、ころや保持器等、ころ軸受を構成する各構成部材も大型となり、部材の生産や組み立てが困難となる。このような場合、各部材を分割すると、生産や組み立てが容易となる。
【０００４】
ここで、玉軸受において、保持器を分割した分割型の間座タイプの保持器に関する技術が、実開平５−９２５３７号公報（特許文献１）に記載されている。
【特許文献１】実開平５−９２５３７号公報（段落番号０００７、図１）
【発明の開示】
【発明が解決しようとする課題】
【０００５】
上記したプレス保持器やピン型保持器は、周方向に連なる環状部分を有するため、組立て時において、保持器が内輪等から脱落するおそれは少ない。
【０００６】
しかし、間座型保持器の場合は、隣接する円錐ころの間に各間座が配置される構成であり、各間座が周方向に連結されていないため、組立て時において、間座が内輪から脱落するおそれがある。
【０００７】
この発明の目的は、間座の脱落を防止した円錐ころ軸受を提供することである。
【０００８】
この発明の他の目的は、脱落のおそれのない間座を提供することである。
【０００９】
この発明のさらに他の目的は、組立てが容易な側輪を提供することである。
【００１０】
この発明のさらに他の目的は、組立てが容易な円錐ころ軸受の組立て方法を提供することである。
【００１１】
この発明のさらに他の目的は、生産性が良好な風力発電機の主軸支持構造を提供することである。
【課題を解決するための手段】
【００１２】
この発明に係る円錐ころ軸受は、外輪と、内輪と、外輪および内輪の間で周方向に連ねて配置される複数の円錐ころと、隣接する円錐ころの間に配置され、ころピッチ円直径において隣接する円錐ころに当接する面の間隔が円錐ころの小径側端面から大径側端面に向かって徐々に大きくなっている複数の間座を含み、この複数の間座が互いに分離して設けられている間座型保持器とを備える。間座には、円錐ころの内径側への脱落を防止する内径側ころ止め部が設けられている。ここで、ころピッチ円直径を含む平面に交差する内径側ころ止め部の周方向の長さは、円錐ころと間座とを周方向に順次連ねて交互にすき間なく配置した場合に、最初に配置される円錐ころと最後に配置される円錐ころとのころピッチ円直径におけるすき間の周方向の長さよりも長い。
【００１３】
円錐ころと間座を周方向に交互に連ねて配置する際には、周方向に適当なすき間を有する。ここで、このすき間の周方向の長さが大きいと、隣接する円錐ころの間に配置した間座が、外径側に脱落するおそれがある。しかし、このように構成することにより、間座が外径側に移動しようとしても、間座に設けられた内径側ころ止め部が、隣接する円錐ころに引っ掛かることになる。したがって、間座の脱落を防止することができる。
【００１４】
好ましくは、間座には、円錐ころの外径側への脱落を防止する外径側ころ止め部が設けられている。ここで、ころピッチ円直径を含む平面と交差する外径側ころ止め部の周方向の長さは、ころピッチ円直径を含む平面と交差する内径側ころ止め部の周方向の長さよりも長い。上記したように周方向にすき間を有すると、隣接する間座間に配置される円錐ころも外径側に脱落するおそれがある。しかし、このように構成することにより、円錐ころが外径側へ移動しようとしても、円錐ころが、隣接する間座の外径側ころ止め部に引っ掛かることになる。したがって、円錐ころの脱落を防止することができる。
【００１５】
さらに好ましくは、円周方向に配置されたすべての間座に当接するように円環状に延び、内輪の軌道面と間座との当接状態を維持するリング状部材を備える。こうすることにより、円錐ころ軸受の組立て時において、リング状部材によって、内輪と間座との当接状態を維持することができるため、さらに、間座の脱落を防止することができる。
【００１６】
この発明の他の局面においては、間座は、隣接する円錐ころの間に配置されたときに、ころピッチ円直径において隣接する円錐ころに当接する面の間隔が円錐ころの小径側端面から大径側端面に向かって徐々に大きくなっており、円錐ころの内径側への脱落を防止する内径側ころ止め部が設けられている。ここで、ころピッチ円直径を含む平面に交差する内径側ころ止め部の周方向の長さは、円錐ころと間座とを周方向に順次連ねて交互にすき間なく配置した場合に、最初に配置される円錐ころと最後に配置される円錐ころとのころピッチ円直径におけるすき間の周方向の長さよりも長い。
【００１７】
このような間座は、外径側に移動しようとしても、間座に設けられた内径側ころ止め部が、隣接する円錐ころに引っ掛かる。したがって、外径側への脱落が防止される。
【００１８】
この発明のさらに他の局面においては、リング状部材は、複数の円錐ころと、隣接する円錐ころの間に配置される複数の間座とを内輪上に交互に配置する際に使用されるものであって、円周方向に配置されたすべての間座に当接するように円環状に延び、内輪の軌道面と間座との当接状態を維持する。
【００１９】
このようなリング状部材は、内輪上に円錐ころおよび間座を交互に配置する際に、内輪と間座との当接状態を維持することができる。したがって、組立て時において、間座の外径側への脱落を防止することができ、組立てが容易になる。
【００２０】
この発明のさらに他の局面においては、円錐ころ軸受の組立て方法は、外輪と、内輪と、外輪および内輪の間に配置される複数の円錐ころと、隣接する円錐ころの間に配置され、ころピッチ円直径において隣接する円錐ころに当接する面の間隔が円錐ころの小径側端面から大径側端面に向かって徐々に大きくなっている複数の間座を含み、この複数の間座が互いに分離して設けられている間座型保持器と、円周方向に配置されたすべての間座に当接するように円環状に延びるリング状部材とを備える円錐ころ軸受を組立てる円錐ころ軸受の組立て方法である。ここで、円錐ころ軸受の組立て方法は、内輪上に複数の円錐ころおよび複数の間座を周方向に連ねて交互に配置する場合に、リング状部材によって、内輪と間座との当接状態を維持する。
【００２１】
このように構成することにより、リング状部材によって、内輪上に円錐ころおよび間座を交互に配置する際に、内輪と間座との当接状態を維持することができる。したがって、組立てが容易になる。
【００２２】
この発明のさらに他の局面においては、風力発電機の主軸支持構造は、風力を受けるブレードと、その一端がブレードに固定され、ブレードとともに回転する主軸と、固定部材に組み込まれ、主軸を回転自在に支持する円錐ころ軸受とを有する風力発電機の主軸支持構造である。円錐ころ軸受は、外輪と、内輪と、外輪および内輪の間で周方向に連ねて配置される複数の円錐ころと、隣接する円錐ころの間に配置され、ころピッチ円直径において隣接する円錐ころに当接する面の間隔が円錐ころの小径側端面から大径側端面に向かって徐々に大きくなっている複数の間座を含み、この複数の間座が互いに分離して設けられている間座型保持器とを備える。間座には、円錐ころの内径側への脱落を防止する内径側ころ止め部が設けられている。ここで、ころピッチ円直径を含む平面に交差する内径側ころ止め部の周方向の長さは、円錐ころと間座とを周方向に順次連ねて交互にすき間なく配置した場合に、最初に配置される円錐ころと最後に配置される円錐ころとのころピッチ円直径におけるすき間の周方向の長さよりも長い。
【００２３】
このような風力発電機の主軸支持構造は、組立て性が良好な円錐ころ軸受を含むため、生産性が良好である。
【発明の効果】
【００２４】
この発明によれば、間座が外径側に移動しようとしても、間座に設けられた内径側ころ止め部が隣接する円錐ころに引っ掛かることになる。したがって、間座の脱落を防止することができる。
【００２５】
また、このような間座は、外径側に移動しようとしても、間座に設けられた内径側ころ止め部が、隣接する円錐ころに引っ掛かる。したがって、外径側への脱落が防止される。
【００２６】
また、このようなリング状部材は、内輪に円錐ころおよび間座を配置する際に、内輪と間座との当接状態を維持することができるため、組立て時において、間座の外径側への脱落を防止することができる。
【００２７】
また、このような円錐ころ軸受の組立て方法は、組立て時において、間座が内輪側から脱落することがない。したがって、組立て性が良好になる。
【００２８】
また、このような風力発電機の主軸支持構造は、組立て性が良好な円錐ころ軸受を含むため、生産性が良好である。
【発明を実施するための最良の形態】
【００２９】
以下、この発明の実施の形態を図面を参照して説明する。図２は、この発明の一実施形態に係る間座型保持器に含まれる間座１１を示す図である。図２を参照して、間座１１は、上面１４ａが外輪に対向し、下面１４ｂが内輪に対向するよう、隣接する円錐ころの間に配置される。間座１１は、円錐ころの転動面に沿った曲面を有する案内面１２ａ、１２ｂを含む。隣接する円錐ころの間に配置されたときに、ころピッチ円直径において隣接する円錐ころに当接する面である案内面１２ａと案内面１２ｂとの周方向の間隔は、小径側端面１３ａから大径側端面１３ｂに向かって徐々に大きくなっている。こうすることにより、隣接する円錐ころの間に間座１１を配置したときに、円錐ころの転動面に沿うように配置することができ、円錐ころと間座１１とのころ長さ方向の間隔を一定に保つことができる。
【００３０】
間座１１の内径側、すなわち、下面１４ｂ側には、隣接する円錐ころの内径側への脱落を防止する内径側ころ止め部１６が設けられている。円錐ころが内径側へ移動しようとしても、隣接する間座１１の内径側ころ止め部１６が円錐ころに引っ掛かり、円錐ころの内径側への脱落を防止することができる。また、相対的に、間座１１が外径側へ移動しようとしても、内径側ころ止め部１６が、隣接する円錐ころに引っ掛かり、間座１１の外径側への脱落を防止することができる。
【００３１】
間座１１の外径側、すなわち、上面１４ａ側には、隣接する円錐ころの外径側への脱落を防止する外径側ころ止め部１７が設けられている。円錐ころが外径側へ移動しようとしても、隣接する間座の外径側ころ止め部１７が円錐ころに引っ掛かり、円錐ころの外径側への脱落を防止することができる。また、間座１１の内径側への脱落も防止することができる。
【００３２】
なお、上記した内径側ころ止め部１６、外径側ころ止め部１７は、間座１１の軸方向に連なって設けられている。
【００３３】
間座１１の小径側端面１３ａ、大径側端面１３ｂには、隣接する円錐ころの間に配置したときに、円錐ころの小端面、大端面にそれぞれ当接する小径側突出部１５ａおよび大径側突出部１５ｂが設けられている。このように構成することにより、後述するように、この小径側突出部１５ａおよび大径側突出部１５ｂを利用して、間座１１と内輪との当接状態を維持することができる。また、小径側突出部１５ａ、大径側突出部１５ｂを、隣接する円錐ころの小端面、大端面に当接させて、間座１１の軸方向の移動も規制することができる。
【００３４】
図３は、図２に示した間座１１を含む間座型保持器を備える円錐ころ軸受２１を、間座１１を含む断面で表した断面図である。図２および図３を参照して、円錐ころ軸受２１は、外輪２２と、内輪２３と、外輪２２および内輪２３の間に配置された複数の円錐ころ２４と、隣接する円錐ころ２４の間に配置される間座１１を複数含み、この複数の間座１１が互いに分離して設けられている間座型保持器と、円周方向に配置されたすべての間座１１に当接するように円環状に延びるリング状部材としての小径側側輪２５ａ、大径側側輪２５ｂとを備える。小径側側輪２５ａは、内輪２３の小鍔２８ａ側、大径側側輪２５ｂは、内輪２３の大鍔２８ｂ側に配置される。間座１１は、隣接する円錐ころ２４の間に、その案内面１２ａ、１２ｂが円錐ころ２４の転動面とそれぞれ対面するように配置される。小径側側輪２５ａ、大径側側輪２５ｂは、それぞれに設けられた張出部２６ａ、２６ｂを、間座１１の小径側突出部１５ａ、大径側突出部１５ｂ上に位置するようにして間座１１と当接し、内輪２３と間座１１との当接状態を維持する。
【００３５】
図１は、図３に示した円錐ころ軸受２１に備えられる最初の円錐ころ２４ａと、最後の円錐ころ２４ｂとの間に配置される間座１１ａを、ころピッチ円直径を含む平面で切断した場合の断面図である。なお、理解の容易の観点から、図１において、間座１１ａに設けられた小径側突出部１５ａ、大径側突出部１５ｂを表していない。
【００３６】
図１を参照して、最初の円錐ころ２４ａと最後の円錐ころ２４ｂとの間には、最後すき間２７を有する。この最後すき間２７は、円錐ころ２４ａ、２４ｂや間座１１ａの周方向の寸法誤差の累積や熱膨張を考慮したすき間等により生ずるものである。
【００３７】
ここで、ころピッチ円直径を含む平面に交差する内径側ころ止め部１６の周方向の長さをＬ２とし、円錐ころ２４ａ、２４ｂと間座１１ａを周方向に順次連ねて交互にすき間なく配置した場合に、最初に配置される円錐ころ２４ａと最後に配置される円錐ころ２４ｂとのころピッチ円直径における最後すき間２７の周方向の長さをＬ１とすると、Ｌ１＜Ｌ２の関係を有する。すなわち、最初に配置される円錐ころ２４ａと最後に配置される円錐ころ２４ｂとのころピッチ円直径における最後すき間２７の周方向の長さよりも、ころピッチ円直径を含む平面に交差する内径側ころ止め部１６の周方向の長さの方を長くする。
【００３８】
このように構成することにより、間座１１ａの外径側への脱落を防止することができる。これを、図４を用いて説明する。図４は、図３に示す断面において、間座１１ａが外径側に移動しようとする状態を示す図である。図４を参照して、間座１１ａが、外径側、すなわち、図４中の矢印Ａの方向へ移動しようとしても、内径側ころ止め部１６と最後すき間２７が上記した関係を有するため、間座１１ａに設けられた内径側ころ止め部１６が、隣接する円錐ころ２４ａ、２４ｂに引っ掛かることになる。したがって、間座１１ａの外径側への脱落を防止することができる。
【００３９】
また、ころピッチ円直径を含む平面と交差する外径側ころ止め部１７の周方向の長さをＬ３とすると、Ｌ２＜Ｌ３の関係を有する。すなわち、ころピッチ円直径を含む平面に交差する内径側ころ止め部１６の周方向の長さよりも、ころピッチ円直径を含む平面に交差する外径側ころ止め部１７の周方向の長さの方を長くする。
【００４０】
このように構成することにより、間座１１ａの内径側ころ止め部１６が隣接する円錐ころ２４ａ、２４ｂに引っ掛った状態で、円錐ころ２４ａが、外径側へ移動しようとしても、円錐ころ２４ａが、隣接する間座１１ａ、１１ｂに設けられた外径側ころ止め部１７に引っ掛かることになる。したがって、円錐ころ２４ａの外径側への脱落を防止することができる。
【００４１】
次に、この発明の一実施形態に円錐ころ軸受２１の組立て方法について説明する。図５は、複数の間座１１および円錐ころ２４を、内輪２３に組み込む際の状態を示す図である。図３および図５を参照して、まず、内輪２３の大径側端面を下向きにして、大径側側輪２５ｂを大鍔２８ｂ側に配置し、適当な間隔で、複数の間座１１を配置していく。この場合、間座１１に設けられた大径側突出部１５ｂの外径側に、大径側側輪２５ｂに設けられた張出部２６ｂが位置して当接するよう、配置する。
【００４２】
次に、各間座１１間に、円錐ころ２４を配置していく。この場合、間座１１は、周方向に容易に移動させることができるため、隣接する間座１１の間隔を広げて円錐ころ２４を配置させていき、円錐ころ２４を順次組み込んでいく。このようにして、間座１１と円錐ころ２４とを連ねて内輪２３上に交互に配置していく。
【００４３】
そして、最後の円錐ころ２４を配置させる。この場合、隣接する間座１１には、外径側ころ止め部１７が設けられており、上記した関係を有するため、かち込むようにして、組み込む。その後、小径側側輪２５ａを内輪２３の小鍔２８ａ側に配置する。具体的には、間座１１に設けられた小径側突出部１５ａの外径側に、小径側側輪２５ａに設けられた張出部２６ａが位置して当接するよう、配置する。このようにして、円錐ころ軸受２１が組み立てられる。
【００４４】
このように構成することにより、間座１１と内輪２３との当接状態を維持しながら、組立てることができる。したがって、組立て時に多少の衝撃や傾きがあったとしても、間座１１の配置が崩れたり、間座１１が内輪２３から脱落したりすることはない。また、間座１１と内輪２３との当接状態が維持されることにより、各間座１１の間に配置される円錐ころ２４と内輪２３との当接状態も維持されるため、円錐ころ２４の配置が崩れたり、内輪２３から脱落するおそれがなくなる。その結果、組立てが容易になる。
【００４５】
なお、最初に、小径側側輪２５ａを内輪２３の小鍔２８ａ側に配置してから、各間座１１の小径側突出部１５ａを張出部２６ａに当接させるようにして配置し、円錐ころ２４を配置させることにしてもよい。この場合、配置される間座１１の大径側においては、径が広がった状態になるため、円錐ころ２４を容易に組み入れることができる。
【００４６】
また、内輪の形状を変更して、側輪と内輪とを係合させる構成にしてもよい。図６は、この場合の円錐ころ軸受３１を示す断面図である。図６を参照して、内輪３３の小鍔３８ａおよび大鍔３８ｂには、小径側側輪３６ａおよび大径側側輪３６ｂを係合することができる小径側段部３７ａ、大径側段部３７ｂが設けられている。また、小径側側輪３６ａ
および大径側側輪３６ｂには、それぞれ小径側段部３７ａ、大径側段部３７ｂに係合できるように、係合穴が設けられている。この小径側段部３７ａ、大径側段部３７ｂおよび係合穴を利用して、小径側側輪３６ａ、大径側側輪３６ｂと内輪３３とを係合させることにより、間座１１と内輪３３との当接状態を、さらに強く維持することができる。
【００４７】
図７および図８は、この発明の一実施形態に係る円錐ころ軸受を主軸支持軸受７５として適用した、風力発電機の主軸支持構造の一例を示している。主軸支持構造の主要部品を支持するナセル７２のケーシング７３は、高い位置で、旋回座軸受７１を介して支持台７０上に水平旋回自在に設置されている。風力を受けるブレード７７を一端に固定する主軸７６は、ナセル７２のケーシング７３内で、軸受ハウジング７４に組み込まれた主軸支持軸受７５を介して、回転自在に支持されている、主軸７６の他端は増速機７８に接続され、この増速機７８の出力軸が発電機７９のロータ軸に結合されている。ナセル７２は、旋回用モータ８０により、減速機８１を介して任意の角度に旋回させられる。
【００４８】
軸受ハウジング７４に組み込まれた主軸支持軸受７５は、この発明の一実施形態に係る円錐ころ軸受であって、外輪と、内輪と、外輪および内輪の間で周方向に連ねて配置される複数の円錐ころと、隣接する円錐ころの間に配置され、ころピッチ円直径において隣接する円錐ころに当接する面の間隔が円錐ころの小径側端面から大径側端面に向かって徐々に大きくなっている複数の間座を含み、この複数の間座が互いに分離して設けられている間座型保持器とを備える。間座には、円錐ころの内径側への脱落を防止する内径側ころ止め部が設けられている。ここで、ころピッチ円直径を含む平面に交差する内径側ころ止め部の周方向の長さは、円錐ころと間座とを周方向に順次連ねて交互にすき間なく配置した場合に、最初に配置される円錐ころと最後に配置される円錐ころとのころピッチ円直径におけるすき間の周方向の長さよりも長い。
【００４９】
主軸支持軸受７５は、大きな風力を受けるブレード７７を一端に固定する主軸７６を支持するため、大きな荷重がかかることになる。ここで、円錐ころを保持する保持器を分割型とし、上記のような構成とすると、円錐ころ軸受の組立て時において、間座の脱落を防止することができる。そうすると、円錐ころ軸受を容易に組立てることができ、風力発電機の主軸支持構造の生産性を良好にすることができる。
【００５０】
なお、上記の実施の形態においては、間座の端面に突出部を設け、突出部と側輪に備えられた張出部とを当接させ、間座と内輪との当接状態を維持することとしたが、これに限らず、間座を円錐ころの端面を越えて延びるように突出させ、その突出部分の上方に側輪を位置させることによって、当接状態を維持することにしてもよい。また、他の方法、たとえば、間座の上面部分を拘束することにしてもよいし、リング状部材であって、ゴムバンドのような弾性を有する部材によって、当接状態を維持するようにしてもよい。なお、側輪は、組立て後において取り外してもよいし、そのままの状態にしておいてもよい。さらに、側輪は、小径側または大径側のいずれか一方にのみ、設けられた構成であってもよい。
【００５１】
なお、上記の実施の形態において、隣接する円錐ころの間に配置される間座は、すべての寸法が揃ったものでなくともよく、上記した寸法関係において、様々な寸法を有する間座を配置することにしてもよい。また、間座は、生産性向上の観点や、上記したかちこみが容易になる観点から、樹脂製とすることが好ましい。
【００５２】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００５３】
この発明に係る円錐ころ軸受は、間座の脱落を防止することができるため、良好な組立てが要求される円錐ころ軸受に、有効に利用される。
【００５４】
また、この発明に係る間座は、脱落を防止することができるため、良好な組立てが要求される円錐ころ軸受に含まれる間座に、有効に利用される。
【００５５】
また、この発明に係る側輪は、組立て時において、間座の脱落を防止することができるため、良好な組立てが要求される円錐ころ軸受を組み込む場合に、有効に利用される。
【００５６】
また、この発明に係る円錐ころ軸受の組立て方法は、間座の脱落を防止することができるため、確実で、かつ、容易な組立てが要求される場合に、有効に利用される。
【００５７】
また、この発明に係る風力発電機の主軸支持構造は、生産性が良好であるため、大型の風力発電機の主軸支持構造に、有効に利用される。
【図面の簡単な説明】
【００５８】
【図１】最後の円錐ころとの間に配置される間座を、ころピッチ円直径を含む平面で切断した場合の断面図である。
【図２】この発明の一実施形態に係る円錐ころ軸受に含まれる間座の斜視図である。
【図３】この発明の一実施形態に係る円錐ころ軸受を示す断面図である。
【図４】図３に示す断面において、間座が外径側に移動した状態を示す図である。
【図５】円錐ころを間座間に配置していく状態を示す図である。
【図６】この発明の他の実施形態に係る円錐ころ軸受を示す断面図である。
【図７】この発明に係る円錐ころ軸受を用いた風力発電機の主軸支持構造の一例を示す図である。
【図８】図７に示す風力発電機の主軸支持構造の図解的側面図である。
【符号の説明】
【００５９】
１１，１１ａ，１１ｂ  間座、１２ａ，１２ｂ  案内面、１３ａ  小径側端面、１３ｂ  大径側端面、１４ａ  上面、１４ｂ  下面、１５ａ  小径側突出部、１５ｂ  大径側突出部、１６  内径側ころ止め部、１７  外径側ころ止め部、２１，３１  円錐ころ軸受、２２  外輪、２３，３３  内輪、２４，２４ａ，２４ｂ  円錐ころ、２５ａ，３６ａ  小径側側輪、２５ｂ，３６ｂ  大径側側輪、２６ａ，２６ｂ  張出部、２７  最後すき間、２８ａ，３８ａ  小鍔、２８ｂ，３８ｂ  大鍔、３７ａ  小径側段部、３７ｂ  大径側段部、７０  支持台、７１  旋回座軸受、７２  ナセル、７３  ケーシング、７４  軸受ハウジング、７５  主軸支持軸受、７６  主軸、７７  ブレード、７８  増速機、７９  発電機、８０  旋回用モータ、８１  減速機。
【図１】
2007244154.tif 000003
【図２】
2007244154.tif 000004
【図３】
2007244154.tif 000005
【図４】
2007244154.tif 000006
【図５】
2007244154.tif 000007
【図６】
2007244154.tif 000008
【図７】
2007244154.tif 000009
【図８】
2007244154.tif 000010